(57)【要約】【課題】  自動的を特定エリアの利用料金の支払いを行うことを可能にした特定エリアの利用者管理システムを提供する。【解決手段】  ＧＰＳ受信装置と、ＩＣカードとを利用して特定エリアへ入場する利用客に対する利用料金の精算を行う特定エリアの利用者管理システムであって、前記ＩＣカードは、前記特定エリアの位置情報と電子マネー情報とが記憶された記憶手段と、前記ＧＰＳ受信装置から入力された位置情報と、前記記憶手段の位置情報とを照合する照合手段と、前記照合手段による照合が一致した場合に、前記記憶手段の電子マネー情報から利用料金分を減算する料金決済手段とを有し、前記ＧＰＳ受信装置は、ＧＰＳ信号を受信する受信手段と、受信したＧＰＳ信号に基いて利用客の位置情報を検出するＧＰＳ演算手段と、前記ＧＰＳ演算手段で検出した位置情報を前記ＩＣカードに入力する手段と、を備えたことを特徴とする。【選択図】        図１
2005056035.tif 000002
【特許請求の範囲】
【請求項１】
利用客が携帯可能なＧＰＳ受信装置と、前記ＧＰＳ受信装置に装着されるＩＣカードとを利用して、入場が有料化された特定エリアへ入場する利用客に対する利用料金の精算を行う特定エリアの利用者管理システムであって、
前記ＩＣカードは、前記特定エリアの位置情報と電子マネー情報とが予め記憶された記憶手段と、前記ＧＰＳ受信装置から入力された位置情報と、前記記憶手段に記憶されている位置情報とを照合する照合手段と、前記照合手段による照合の結果、照合一致した場合に、前記記憶手段に記憶されている電子マネー情報から前記特定エリアの入場に伴う料金分を減算する料金決済手段と、を有し、
前記ＧＰＳ受信装置は、ＧＰＳ信号を受信する受信手段と、前記受信手段で受信したＧＰＳ信号に基いて前記ＧＰＳ受信装置を携帯している利用客の位置情報を検出するＧＰＳ演算手段と、前記ＧＰＳ演算手段で検出した位置情報を前記ＩＣカードに入力する手段と、
を備えたことを特徴とする特定エリアの利用者管理システム。
【発明の詳細な説明】
【技術分野】
【０００１】
本発明は、利用客が携帯可能なＧＰＳ受信装置と、前記ＧＰＳ受信装置に装着されるＩＣカードとを利用して、入場が有料化された特定エリアへ入場する利用客に対する利用料金の精算を行う特定エリアの利用者管理システムに関する。
【背景技術】
【０００２】
例えば、遊園地、動物園、競技場、野球場、コンサートの野外イベント会場、など、利用客が代金を支払って入場する有料化された特定エリアがあろ。
【０００３】
通常、利用客がこれらの特定エリアに入る場合には、チケットを購入して、特定エリアの入場口でチケットによる入場チェックをすることで入場管理が行われている。
【０００４】
特に、野外で行なわれるコンサートなどの野外イベントでは、一定の期間だけ野外に場所を借りて特設会場を設けることで開催し、一定の期間が経過してこれらのイベント終了後に、会場の設備などを撤去することが行われている。
【０００５】
これらの場合、チケットを購入しないで不正な方法で特定エリア内に入り込み、料金を支払わないで入場される危険が高く、これらの不正入場行為を防止するため、イベント会場となる特定エリアの周囲に柵を設けたり、警備員を多数立たせて警戒するなど、不正侵入者対策に設備上及び人件費上のコストがかかるという問題がある。
【０００６】
近年、チケット処理の効率化を図るために、ホストコンピュータから通信回線を介して通信端末にチケット情報を送信して、利用客が所持するＩＣカードに、その通信端末に備えられたＩＣカードリーダでチケット情報を書き込んで記憶させて、利用客に電子チケット情報を発行し、利用者がコンサート等が開催される特定エリアを訪れた際に、特定エリアの入場ゲートでＩＣカードに記憶させた電子チケット情報を読み取ることで入場管理を行う技術（例えば、特許文献１又は特許文献２、参照）が知られている。
【０００７】
しかしながら、たとえＩＣカードに電子チケット情報を記憶させて、従来の紙製チケットの発行を省略できるようにしたとしても、利用客が特定エリアに入場する際には、ＩＣカードリーダによりＩＣカードに記憶された電子チケット情報を読み取らせなければならず、入場者が多い場合には、短時間で多数の入場者のチケットチェックを行うことが難しいため、入場処理に長時間かかり混乱が生じる危険性もあるという問題がある。
【特許文献１】特開平８−１１０９２３号公報
【特許文献２】特開２０００−１１３２３８号公報
【発明の開示】
【発明が解決しようとする課題】
【０００８】
本発明は、入場が有料化された特定エリアへ出入りする利用客が予めチケットを購入したり、または通信回線などで電子チケット情報を受信してＩＣカードなどに記憶させないでも、それらの特定エリア内に入場したり、また特定エリアを利用したりした際に、自動的を特定エリアの利用代金の支払いを行うことを可能にして、利用客の入場管理の効率化を図り、入場管理にかかる設備上及び人的なコストを削減することができるようにした特定エリアの利用者管理システムを提供する。
【課題を解決するための手段】
【０００９】
本発明の特定エリアの利用者管理システムは、利用客が携帯可能なＧＰＳ受信装置と、前記ＧＰＳ受信装置に装着されるＩＣカードとを利用して、入場が有料化された特定エリアへ入場する利用客に対する利用料金の精算を行う特定エリアの利用者管理システムであって、前記ＩＣカードは、前記特定エリアの位置情報と電子マネー情報とが予め記憶された記憶手段と、前記ＧＰＳ受信装置から入力された位置情報と、前記記憶手段に記憶されている位置情報とを照合する照合手段と、前記照合手段による照合の結果、照合一致した場合に、前記記憶手段に記憶されている電子マネー情報から前記特定エリアの入場に伴う料金分を減算する料金決済手段と、を有し、前記ＧＰＳ受信装置は、ＧＰＳ信号を受信する受信手段と、前記受信手段で受信したＧＰＳ信号に基いて前記ＧＰＳ受信装置を携帯している利用客の位置情報を検出するＧＰＳ演算手段と、前記ＧＰＳ演算手段で検出した位置情報を前記ＩＣカードに入力する手段と、を備えたことを特徴とする。
【発明の効果】
【００１０】
本発明の特定エリアの利用者管理システムは、利用客が、入場が有料化された特定エリアへ出入りする際に、予めチケットを購入しないでも、これらの有料の特定エリアへ入場したり、また特定エリアを利用した際に、自動的を特定エリアの利用代金の支払いを行うことが可能になり、従って利用客の入場管理の効率化を図ることができ、更に入場管理にかかる設備上及び人的なコストを削減することができるという効果がある。
【発明を実施するための最良の形態】
【００１１】
以下、図面を参照しながら本発明について実施の形態を詳述する。
【００１２】
図１は、本発明の実施形態に係る特定エリアの利用者管理システムに使用される装置及び媒体を説明する外観図、図２は、本発明の実施形態に係る特定エリアの利用者管理システムの概要を説明する図、第３図は、本発明の実施形態に係る特定エリアの利用者管理システムのシステムブロック図、第４図は、本発明の実施形態に係る特定エリアの利用者管理システムに用いるＩＣカードのＣＰＵの機能ブロック図、図５は、本発明の実施形態に係る特定エリアの利用者管理システムの処理手順を示すフローチャートである。
【００１３】
図１に示すように、本発明の実施形態に係る特定エリアの利用者管理システムは、ＧＰＳ用の通信衛星１から送信されてくるＧＰＳ信号を受信して、これらの受信したＧＰＳ信号に基づいて、緯度及び経度による位置情報を演算して検出すると共に、このＧＰＳ信号を受信した時刻情報も検出する機能を有するＧＰＳ受信装置２が用いられる。
【００１４】
また、このＧＰＳ受信装置２は、利用者５が特定エリアに入場する際に携帯可能なサイズを有する。
【００１５】
ＧＰＳ受信装置２には、ＩＣカード３を取り外し可能に装着するためのＩＣカード装着部４が備えられ、個々の利用者毎に所有しているＩＣカード３を入れ替えることで、複数の利用者において共通して使用できるようになっている。
【００１６】
本発明では、利用者５が、ＩＣカード３を装着した状態のＧＰＳ受信装置２を携帯して、特定エリアに徒歩または乗物等に乗るなどして入退場することで、自動的に料金の精算が行えるようにシステム化されている。
【００１７】
図２には、利用者５と特定エリア６との関係が示されている。
【００１８】
ここで、特定エリア６とは、例えば、遊園地、動物園、競技場、野球場、コンサートの野外イベント会場、など入場に際して料金を取るために管理された特定エリアを言う。
【００１９】
したがって、主催者側や管理者側などが任意に定めた特定エリアであれば、必ずしも柵などでそのエリアの周囲を囲っていなくてもよく、また特別な建物などの施設が存在していなくてもよい。
【００２０】
例えば、図２に示す特定エリア６を、ある一定期間だけ開催するコンサートの野外特設会場となる特定エリアであるとする。
【００２１】
この特定エリア６である野外特設会場で使用されるエリアを、図２に示すように、ａ地点、ｂ地点、ｃ地点、ｄ地点の４つの地点で囲まれた矩形状のエリアであるとすると、これらの４つの地点における位置情報を、予め通信衛星１から送信されてくるＧＰＳ信号に基づいて、ＧＰＳ受信装置２により緯度及び経度を検出することで特定し、これらの４つの地点で結ばれたエリア内が、利用客が入場に際して料金を取る有料エリアとして設定されている。
【００２２】
したがって、どこの場所の、どのエリアを有料の特定エリアとして設定するのかは、例えばコンサートの主催者側が任意に定めることができる。
【００２３】
そして、このコンサートを見るために特定エリア６である野外特設会場を訪れる利用者５は、全てＩＣカード３を装着した状態のＧＰＳ受信装置２を携帯しながら、特定エリア６である野外特設会場に入場する。
【００２４】
この場合、野外特設会場には、入退場ゲートを設けても、設けなくてもよく、利用者がＧＰＳ受信装置２を携帯していることで、利用者が存在している位置情報をＧＰＳ用の通信衛星１から送信されてくるＧＰＳ信号に基づいて把握されるので、利用者が特定エリア６である野外特設会場内に入っている状態であるのか否かや、既に退場した状態であるのかなどが機械的にわかるようにしてある。
【００２５】
次に、図３に基いて、本発明の特定エリアの利用者管理システムに用いるＧＰＳ受信装置２及びＩＣカード３のシステム構成について説明する。
【００２６】
ＧＰＳ受信装置２には、ＧＰＳ用の通信衛星１から送信されてくるＧＰＳ信号を受信する受信手段７、表示手段８、ＧＰＳ演算手段９、ＧＰＳ時刻管理手段１０、記憶手段１１、入出力制御手段（Ｉ／Ｏ）１２、制御手段１３、などが備えられている。
【００２７】
ＧＰＳ演算手段９は、受信手段７で受信したＧＰＳ信号に基づいて、緯度及び経度による位置情報を演算して検出する機能を有している。
【００２８】
ＧＰＳ時刻管理手段１０は、受信手段７で受信したＧＰＳ信号に基づいて、受信時刻を管理する機能を有していて、ＧＰＳ受信装置２で受信されたＧＰＳ信号から、ＧＰＳ演算手段９によりＧＰＳ受信装置２が存在する位置情報と、その位置情報が何時受信された情報であるのかがわかり、記憶手段１１にこれらの情報を関連付けて随時記憶させておくことができる。
【００２９】
また、ＧＰＳ受信装置２の入出力制御手段（Ｉ／Ｏ）１２を介して、これらの位置情報及び受信時刻情報がＩＣカード３に送られる。
【００３０】
また、ＩＣカード３は、入出力制御手段（Ｉ／Ｏ）１４、ＲＯＭ１５、ＲＡＭ１６、ＥＥＰＲＯＭ１７、ＣＰＵ１８、などを有する。
【００３１】
ＥＥＰＲＯＭ１７には、予め利用者が入場した際に料金を取るように設定された有料エリアである特定エリア６の場所やエリアを、そのエリアの外周における複数の地点の緯度及び経度から特定された位置情報１９が記憶されている。
【００３２】
つまり、特定エリア６を、そのエリアの外周における複数の地点の緯度及び経度により、その場所の、ある領域を特定し、この領域内、エリア内を特定エリア６として設定する。
【００３３】
更に、ＥＥＰＲＯＭ１７には、電子マネー情報２０が記憶されている。
【００３４】
この電子マネー情報２０は、利用者が使用可能な金額を数値データとして記憶させておき、特定エリアの入場料金としての支払い金額分の数値データを、予めＥＥＰＲＯＭ１７に記憶させた数値データから減算することで、料金支払いの精算が行なわれるようにしてある。
【００３５】
従って、利用者が、入場が有料の特定エリアに入ったことによる料金は、ＥＥＰＲＯＭ１７に記憶している電子マネー情報２０を使用して、自動的に減算処理されることで決済することができる。
【００３６】
これらの処理は、ＲＯＭ１５やＥＥＰＲＯＭ１７に記憶されている処理プログラムに基いて処理が行なわれる。
【００３７】
また、ＣＰＵ１８には、照合手段２１、料金決済手段２２、制御手段２３、などを有する。
【００３８】
照合手段２１は、ＧＰＳ受信装置２からＩＣカード３の入出力制御手段（Ｉ／Ｏ）１４を介して入力された、ＧＰＳ受信装置２が存在している位置情報と、予めＥＥＰＲＯＭ１７に記憶されている特定エリア６の位置情報とを照合して、ＧＰＳ受信装置２が特定エリア６内にあるか否かを判定する機能を有している。
【００３９】
この場合において、ＧＰＳ受信装置２は、利用者５が携帯しているので、利用者５が特定エリア６内に入った状態にあるのか、特定エリア６の外側にいるのかがわかるようにしてあり、利用者５が特定エリア６内に入った状態である時には、入場による料金支払いを行う必要があることになる。
【００４０】
更に、料金決済手段２２では、照合手段２１による判定により、利用者５が特定エリア６内に入った状態にあると判定され、入場による料金支払いを行う必要がある場合に、利用者が、入場が有料の特定エリアに入ったことによる料金を、ＥＥＰＲＯＭ１７に記憶している電子マネー情報２０から自動的に減算処理されて支払い決済する機能を有している。
【００４１】
入場料金は、予めＩＣカード３の記憶手段に決められた金額として記憶させておいて、電子マネー情報２０から直ぐに減算できるようにしておくことが好ましい。
【００４２】
本発明の実施形態に係る特定エリアの利用者管理システムの処理手順を図５のフローチャーに基いて説明する。
【００４３】
まず、利用者５は、ＩＣカード３を装着した状態のＧＰＳ受信装置２を携帯して、ＧＰＳ用の通信衛星１から送信されてくるＧＰＳ信号を受信できる状態にセットする。（ステップＳ１）
通信衛星１から送信されてくるＧＰＳ信号は、随時、ＧＰＳ受信装置２からＩＣカード３にそれぞれの入出力制御手段（Ｉ／Ｏ）１２，１４を介して入力されて、ＩＣカード３内の照合手段２１により、通信衛星１から送信されてくるＧＰＳ信号に基いて算出され検出された位置情報が、ＩＣカード３のＥＥＰＲＯＭ１７に記憶されている特定エリア６の位置情報とを照合されて、ＧＰＳ受信装置２が特定エリア６内にあるか否かが判定される。（ステップＳ２）
ここで、照合手段２１により照合の結果、特定エリア６内にＧＰＳ受信装置２が存在すると判定された場合には、ＩＣカード３の料金決済手段２２により、利用者が、入場が有料の特定エリアに入ったことによる料金を、ＥＥＰＲＯＭ１７に記憶している電子マネー情報２０から減算処理される。（ステップＳ３）
更に、ＩＣカード３のＥＥＰＲＯＭ１７に、特定エリア６内にＧＰＳ受信装置２が存在すると判定された時刻情報が記憶される。（ステップＳ４）
また、通信衛星１から送信されてくるＧＰＳ信号に基いて算出され検出された位置情報が、ＩＣカード３のＥＥＰＲＯＭ１７に記憶されている特定エリア６の位置情報とを照合されて、ＧＰＳ受信装置２が特定エリア６内にいるか否か判定する。（ステップＳ５）
判定の結果、特定エリア６から外側に出たと判定された場合には、その時刻情報をＩＣカード３のＥＥＰＲＯＭ１７に記憶される。（ステップＳ６）
以上の処理により、利用者が特定エリアに入った場合に、利用料金の支払い処理を自動的に行うと共に、利用者が特定エリアに入って時刻及び退出した時刻情報を、ＩＣカード３のＥＥＰＲＯＭ１７に記憶しておくことができ、利用者の管理を行うことができる。
【図面の簡単な説明】
【００４４】
【図１】本発明の実施形態に係る特定エリアの利用者管理システムに使用される装置及び媒体を説明する外観図である。
【図２】本発明の実施形態に係る特定エリアの利用者管理システムの概要を説明する図である。
【図３】本発明の実施形態に係る特定エリアの利用者管理システムのシステムブロック図である。
【図４】本発明の実施形態に係る特定エリアの利用者管理システムに用いるＩＣカードのＣＰＵの機能ブロック図である。
【図５】本発明の実施形態に係る特定エリアの利用者管理システムの処理手順を示すフローチャートである。
【符号の説明】
【００４５】
１  通信衛星
２  ＧＰＳ受信装置
３  ＩＣカード
４  ＩＣカード装着部
５  利用者
６  特定エリア
７  受信手段
８  表示手段
９  ＧＰＳ演算手段
１０  ＧＰＳ時刻管理手段
１１  記憶手段
１２，１４  入出力制御手段（Ｉ／Ｏ）
１３，２３  制御手段
１５  ＲＯＭ
１６  ＲＡＭ
１７  ＥＥＰＲＯＭ
１８  ＣＰＵ
１９  位置情報
２０  電子マネー情報
２１  照合手段
２２  料金決済手段
【図１】
2005056035.tif 000003
【図２】
2005056035.tif 000004
【図３】
2005056035.tif 000005
【図４】
2005056035.tif 000006
【図５】
2005056035.tif 000007